(57)【要約】【課題】  レーザダイオードの種類及び特性に関係なく適切な温度補償を行うことができ、入力信号レベルが一定で周期的な連続信号モードばかりでなく入力信号のパケットの大きさが多様なバーストモードにも安定的に適用できる、アナログ／デジタル混合方式温度補償機能を有した光送信装置を提供する。【解決手段】  デジタル１または０を光信号で出力するレーザダイオードの光出力パワーをモニタリングＰＤを通して検出し、１と０の光出力レベルが一定の値を維持するようレーザ駆動回路のバイアス電流を制御するにあたって、温度変化によるレーザ駆動回路のバイアス／変調電流制御のためのプログラムを具備し、上記プログラムに応じてレーザ駆動回路のバイアス電流及び変調電流を制御するデジタル制御部を含んで温度補償回路を構成することにより、上記デジタル制御部のプログラム変更のみで温度補償動作を調整できるよう構成したものである。【選択図】  図１
2006174403.tif 000002
【特許請求の範囲】
【請求項１】
光信号を発生させるレーザダイオードと、
入力データに応じて前記レーザダイオードの光出力レベルを調整するレーザ駆動回路と、
前記レーザダイオードから出力された光により動作し光出力に対応する電流を出力するモニタリングフォトダイオードと、
前記モニタリングフォトダイオードから出力された電流を電圧信号に変換する前置増幅器と、
前記前置増幅器の出力電圧の最大／最小レベルを各々検出し、最大／最小検出レベルと既設定された基準値との偏差を算出するアナログ制御部と、
温度変化によるレーザ駆動回路のバイアス／変調電流制御のためのプログラムを有し、前記アナログ制御部から算出された最大／最小レベルの偏差を基準値として前記プログラムに応じてレーザ駆動回路のバイアス電流及び変調電流を制御するデジタル制御部と
を具備し、アナログ／デジタル混合方式温度補償機能を呈することを特徴とする光送信装置。
【請求項２】
前記アナログ制御部は、
前記前置増幅器の出力電圧中最大レベルを検出し、該当レベルに対応するＤＣ値を出力する最大ホールド回路と、
前記前置増幅器の出力電圧中最小レベルを検出し、該当レベルに対応するＤＣ値を出力する最小ホールド回路と、
前記最大ホールド回路の出力値とデジタル信号「１」に対応する第１基準値の差を求める第１演算増幅器と、
前記最小ホールド回路の出力値とデジタル信号「０」に対応する第２基準値の差を求める第２演算増幅器と、
を具備したことを特徴とする請求項１に記載の光送信装置。
【請求項３】
前記前置増幅器は、
前記モニタリングフォトダイオードのカソードと連結され、位相の反転無しで前記モニタリングフォトダイオードの出力電流を電圧に変換する同相前置増幅器であることを特徴とする請求項１に記載の光送信装置。
【請求項４】
前記デジタル制御部は、
第１演算増幅器の偏差値を基準信号として、レーザダイオードの最大光出力レベルが第１基準値以下であれば出力レベルが増加するよう、その逆であれば出力レベルが減少するよう前記レーザ駆動回路のバイアス電流を増減させるバイアス電流デジタル制御部と、
前記第２演算増幅器の偏差値を基準信号として、レーザダイオードの最小光出力レベルが第２基準値以下であれば出力レベルが増加するよう、その逆であれば出力レベルが減少するよう変調電流を増減させる変調電流デジタル制御部と、
を具備したことを特徴とする請求項２に記載の光送信装置。
【請求項５】
前記バイアス電流デジタル制御部及び変調電流デジタル制御部は、それぞれ、
入力されたアナログの偏差信号をデジタル信号に変換するアナログ／デジタル変換器と、
第１、２演算増幅器それぞれの偏差値とバイアス電流／変調電流の関係を設定したプログラムを有し、前記プログラムに応じてアナログ／デジタル変換器から入力された偏差値を解析してバイアス電流／変調電流制御信号を出力するデジタルプロセッサと、
前記デジタルプロセッサから出力された制御信号を前記レーザ駆動回路に含まれるｍ個の電流源をオン／オフさせるデジタル信号で出力するデジタル出力部と、
を具備したことを特徴とする請求項４に記載の光送信装置。
【請求項６】
前記バイアス電流デジタル制御部及び変調電流デジタル制御部は、それぞれ、
入力されたアナログの偏差信号をデジタル信号を変換するアナログ／デジタル変換器と、
第１、２演算増幅器それぞれの偏差値とバイアス電流／変調電流の関係を設定したプログラムを有し、前記プログラムに応じてアナログ／デジタル変換器から入力された偏差値を解析してバイアス電流／変調電流制御信号を出力するデジタルプロセッサと、
前記デジタルプロセッサから出力された制御信号を前記レーザ駆動回路の電流源を線形的に制御するアナログ制御信号に変換するデジタル／アナログ変換器と、
を具備したことを特徴とする請求項４に記載の光送信装置。
【発明の詳細な説明】
【技術分野】
【０００１】
本発明は半導体レーザダイオードの種類及び特性に関係なく適切な温度補償を行い一定レベル以上の消光比を有する光出力を提供し、入力信号レベルが一定で周期的な連続信号方式（ｃｏｎｔｉｎｕｏｕｓ  ｗａｖｅ  ｍｏｄｅ）で動作する光送信機ばかりでなく入力信号のパケットの大きさが多様なバースト方式（Ｂｕｒｓｔ−Ｍｏｄｅ）動作を要する光送信機にも用いられるアナログ／デジタル混合方式温度補償機能を具備した光送信装置に関するものである。
【背景技術】
【０００２】
一般に光送信素子として利用される半導体レーザダイオードは周辺温度が上昇するほど閾電流（Ｉｔｈ：  Ｔｈｒｅｓｈｏｌｄ  Ｃｕｒｒｅｎｔ）が増加して、電流−光出力曲線の傾きが緩やかになる。したがって、デジタル的に「１」レベルと「０」レベルに該当する光パワーの比で定義される消光比（Ｅｘｔｉｎｃｔｉｏｎ  Ｒａｔｉｏ＝Ｐ１／Ｐ０、ここで、Ｐ１＝「１」レベルの光出力、Ｐ０＝「０」レベルの光出力）が温度が上昇するほど減少し伝送効率が低くなる。
【０００３】
しかし、光ネットワークに使用される光通信用送信モジュールの場合、国際電気通信規格上消光比が８ｄＢないし１０ｄＢ以上となっているので、上述した半導体レーザダイオードの温度特性により特定温度範囲内においてはこの規格を満たせなくなる。とりわけ、光受信機において受信が容易なようにするためには、「１」レベルと「０」レベルに該当するレーザダイオードの出力パワーＰ１とＰ０が一定した出力を示さなければならない。
【０００４】
従来の光送信装置は図７に示すように、レーザ駆動回路２が入力されたデータに応じて該当デジタル信号に対応するレベルの光信号で出力されるようレーザダイオード１の駆動電流を制御するにあたって、上記レーザダイオード１の光出力パワーをモニタリングフォトダイオード（Ｐｈｏｔｏ  ｄｉｏｄｅ、以下ＰＤという）３で検出し、上記モニタリングＰＤ３の出力を演算増幅器Ａ３を通して増幅した後、上記信号において「１」レベルと「０」レベルのピーク値を検出器Ａ４、Ａ５を通して各々検出する。そして比較器Ａ８において上記検出器Ａ４、Ａ５の＋／−ピーク値の差を演算増幅器Ａ６の「１」レベル基準値と比較し、その偏差に応じてレーザ駆動回路２の変調電流を制御する。
【０００５】
さらに、平均光出力値を設定した後、上記モニタリングＰＤ３において検出された光出力と上記平均光出力値とを比較器Ａ９において比較し、その偏差に応じてＬＤ１のバイアス電流を制御する。
【０００６】
しかし、上記のように平均光出力値を基準にＬＤのバイアス電流を制御する方式は、ＬＤの温度による特性変化を考慮しないので、ＬＤ特性曲線の勾配が温度によってひどく変わる場合消光比が急激に変化し、完全な温度補償効果は期待し難い。
【０００７】
より具体的に説明すると、先に説明したように半導体レーザダイオードの特性曲線が周辺の温度変化に応じて変化するので、温度が上昇するほど特性曲線の勾配が緩やかになり、変調電流の振幅が一定である場合平均光出力が低減することになる。したがって、温度変化に関係なく一定レベル以上の消光比を提供するためには、温度変化に応じてレーザダイオードの変調電流を増加させなければならない。そればかりか温度が上昇するほどレーザダイオードのバイアス電流を増加させなければ出力の「０」レベルがレーザダイオードの閾電流にも及ばず、受信側において信号の深刻な歪曲が発生しかねない。
【０００８】
これを解決するための一方法として、上／下限ホールド（ｔｏｐ／ｂｏｔｔｏｍ  Ｈｏｌｄ）を利用した変調電流及びバイアス電流の制御によって、温度が上昇しても光出力が低温状態と同一な消光比を維持しながら均一な光出力を提供する方法が提案された。
【０００９】
図８はこうした改善された方法による光送信装置を示したものとして、改善された光送信装置は各々最大／最小ホールド回路８２１、８３１を含んで、周辺温度の上昇につれて同一駆動電流においてＬＤ１の光出力パワーが低減する特性を補償するバイアス電流制御部８２と変調電流制御部８３を含む。
【００１０】
上記光送信装置において、モニタリングＰＤ３の出力電流は前置増幅器（ＴＩＡ  ：  Ｔｒａｎｓ−Ｉｍｐｅｄａｎｃｅ−Ａｍｐｌｉｆｉｅｒ）８１へ入力され電圧信号に変換された後上記バイアス電流制御部８２と変調電流制御部８３の最大／最小ホールド回路８２１、８３１に印加される。上記最大／最小ホールド回路８２１、８３１は各々上記前置増幅器８１から入力された電圧の最大電圧と最小電圧を検出し、この最大／最小に該当するＤＣ電圧値をレーザ駆動回路２にフィードバックし、半導体レーザダイオード１がデジタル的に０と１に該当する一定の光パワーを出力するよう駆動電流を制御する。
【００１１】
即ち、図２のポイントＰ０に該当するレーザダイオード１の検出出力は最大電圧レベルである。したがって、上記最大ホールド回路８２１は上記最大電圧に該当するＤＣ値を演算増幅器８２２の一方の入力に提供する。この際、動作温度が増加して上記検出レベルが落ちると、上記最大ホールド回路８２１の出力電圧が基準電圧ＲＥＦ１より高いＤＣ値を示し、演算増幅器８２２が上記偏差だけレーザダイオード１のバイアス電流を増加させ光出力の最大レベルを引上げる。したがって、レーザダイオード１の種類に関係なく基準電圧を設定しておけば、上述したフィードバック制御によりレーザダイオード１の最大レベルが設定されたレベル以下に低下しなくなる。同じく、最小ホールド回路８３１は前置増幅器８１から入力されたレーザダイオード１の光レベルの最小値を検出し、該当最小レベル図２のＰ１レベルに該当するＤＣ電圧を演算増幅器８３２のマイナス入力端子に印加し、上記演算増幅器８３２は上記検出された最小レベルが基準電圧ＲＥＦ２と異なると、その偏差だけ上記レーザ駆動回路２の変調電流を調整することにより、  基準電圧と同一な電圧を提供する光出力が示されるようにする。
【００１２】
ところで、以上に提案された光送信装置は前置増幅器８１、最大／最小ホールド回路８２１、８３１、演算増幅器８２２、８３２などで成るアナログフィードバック回路を通して直接制御するので、設計が正しくできている場合は確かな制御が可能であるが、設計の際使用する変数に問題があったりチップ製作工程上問題が発生すると、完成された光送信装置に対してエラーを補正できないといった問題がある。とりわけ、バーストモードで動作する場合バースト信号が入力される度にリアルタイム制御が行われなければならないので、一つのバースト区間内においてモニタリングＰＤ３、前置増幅器８１、最大／最小ホールド回路８２１、８３１、演算増幅器８２２、８３２などで構成されたフィードバック動作が完了されなければならないが、上記のようなアナログフィードバック回路の場合フィードバック回路自体の動作速度がこれについて行けないといった問題がある。
【００１３】
さらに、上記従来の光送信装置は全てのバースト活性（ｂｕｒｓｔ  ｅｎａｂｌｅ）領域においてバイアス電流制御信号または変調電流制御信号が発生するので、構造上必ずしも必要な領域（Ｄａｔａ  Ｏｎ）でのみ温度補償動作を行うよう設計することが大変困難で、ひいてはリセットが解除される直後などの時点において上記最大／最小ホールド回路８２１、８３１に不要な電圧が発生しバイアス電流制御または変調電流制御動作にエラーが発生しかねない。
【００１４】
さらに、上記従来の光送信装置は、バースト非活性化（ｂｕｒｓｔ  ｄｉｓａｂｌｅ）されている領域において電流ソースをオフし、バイアス電流制御または変調電流制御信号が発生する残りの領域において電流ソースをオンするので、こうした電流ソースのオフ／オンによるノイズが発生しかねない。
【発明の開示】
【発明が解決しようとする課題】
【００１５】
本発明は上述した従来の問題を改善するために提案されたものであって、その目的はレーザダイオードの種類及び特性に関係なく適切な温度補償を行うことができ、入力信号レベルが一定で周期的な連続信号モード（ｃｏｎｔｉｎｕｏｕｓ  ｗａｖｅ  ｍｏｄｅ）ばかりでなく入力信号のパケットの大きさが多様なバーストモード（ｂｕｒｓｔ  ｍｏｄｅ）においてもノイズ無しで信頼性良く動作できる光送信装置を提供することにある。
【課題を解決するための手段】
【００１６】
上記目的を成し遂げるための構成手段として、本発明による光送信装置は、光信号を発生させるレーザダイオード；入力データに応じて上記レーザダイオードの光出力レベルを調整するレーザ駆動回路；上記レーザダイオードから出力した光により動作し光出力に対応する電流を出力するモニタリングフォトダイオードＰＤ；上記モニタリングＰＤから出力された電流を電圧信号に変換する前置増幅器；上記前置増幅器の出力電圧の最大／最小レベルを各々検出し、最大／最小検出レベルと既設定された基準値との偏差を算出するアナログ制御部；及び、温度変化によるレーザ駆動回路のバイアス／変調電流制御のためのプログラムを具備し、上記アナログ制御部から算出された最大／最小レベルの偏差を基準値として上記プログラムに応じてレーザ駆動回路のバイアス電流及び変調電流を制御するデジタル制御部を含むことを特徴とする。
【００１７】
上記本発明による光送信装置において、上記アナログ制御部は、上記前置増幅器の出力電圧中最大レベルを検出し、該当レベルに対応するＤＣ値を出力する最大ホールド回路；上記前置増幅器の出力電圧中最小レベルを検出し、該当レベルに対応するＤＣ値を出力する最小ホールド回路；上記最大ホールド回路の出力値とデジタル信号「１」に対応する第１基準値との差を求める第１演算増幅器；及び、上記最小ホールド回路の出力値とデジタル信号「０」に対応する第２基準値との差を求める第２演算増幅器を有する。
【００１８】
さらに、上記本発明の光送信装置において、上記前置増幅器は、上記モニタリングＰＤのカソードと連結され、位相の反転無しで上記モニタリングＰＤの出力電流を電圧に変換する同相前置増幅器であることを特徴とする。
【００１９】
さらに、上記本発明の光送信装置において、上記デジタル制御部は、第１演算増幅器の偏差値を基準信号とし、レーザダイオードの最大光出力レベルが第１基準値以下であれば出力レベルが増加するよう、その逆であれば出力レベルが減少するよう上記レーザ駆動回路のバイアス電流を増減させるバイアス電流デジタル制御部；及び、上記第２演算増幅器の偏差値を基準信号として、レーザダイオードの最小光出力レベルが第２基準値以下であれば出力レベルが増加するよう、その逆であれば出力レベルが減少するよう変調電流を増減させる変調電流デジタル制御部を有することを特徴とする。
【００２０】
さらに、本発明の光送信装置において、上記バイアス電流デジタル制御部及び変調電流デジタル制御部は各々、入力されたアナログの偏差信号をデジタル信号に変換するアナログ／デジタル変換器；各々第１、２演算増幅器の偏差値とバイアス電流／変調電流の関係を設定したプログラムを具備し、上記プログラムに応じてアナログ／デジタル変換器から入力された偏差値を解析してバイアス電流／変調電流制御信号を出力するデジタルプロセッサ；及び、上記デジタルプロセッサから出力された制御信号を上記レーザ駆動回路に具備されるｍ個の電流源をオン／オフさせるデジタル信号で出力するデジタル出力部を有することを特徴とする。
【００２１】
さらに、本発明の光送信装置において、上記バイアス電流デジタル制御部及び変調電流デジタル制御部は各々、入力されたアナログの偏差信号をデジタル信号に変換するアナログ／デジタル変換器；各々第１、２演算増幅器の偏差値とバイアス電流／変調電流の関係を設定したプログラムを具備し、上記プログラムにしたがってアナログ／デジタル変換器から入力された偏差値を解析してバイアス電流／変調電流制御信号を出力するデジタルプロセッサ；及び、上記デジタルプロセッサから出力された制御信号を上記レーザ駆動回路の電流源を線形的に制御するアナログ制御信号に変換するデジタル／アナログ変換器を有することを特徴とする。
【発明の効果】
【００２２】
上述したように、本発明の光送信装置は外部における適切なプログラムの変更または修正のみでもレーザダイオードの温度特性に合った温度補償機能を行うことができ、したがってより柔軟に従来の連続信号モードばかりでなくバーストモード光通信用送信モジュールに適用できるといった効果を奏する。
【００２３】
さらに、マイクロプログラミングによりバイアス／変調電流を制御することにより、温度補償回路の設計の際に使用する変数に問題がある場合、あるいはチップ製作工程上問題が発生する場合にも、外部において制御プログラムのみ修正することによりエラーを補正できるばかりでなく、従来のアナログ回路によるリアルタイム制御方式を脱皮してデジタルサンプリングによる制御が行えるので、一層幅広く柔軟にプログラミング制御を行えるといった利点がある。
【発明を実施するための最良の形態】
【００２４】
以下、本発明の好ましい実施例を添付の図を参照に詳しく説明する。
【００２５】
本発明はレーザダイオードの温度変化による光出力特性を補償するフィードバック回路をアナログ回路とデジタル回路との併合により具現し、レーザダイオードの種類及び特性に関係なく外部において温度補償作用の調整が可能で、常に一定レベル以上の消光比と一定の光出力を提供することに技術的特徴がある。
【００２６】
図１は、本発明を適用した光送信装置の全体構成を示す。
【００２７】
上記図１によると、１は入力信号に対応する光出力を提供するレーザダイオードＬＤで、２は入力データＤａｔａに応じて上記レーザダイオード１の光出力を制御するレーザ駆動回路で、３は上記レーザダイオード１から発生された光信号のパワーを検出するモニタリングＰＤである。
【００２８】
さらに、本発明の光送信装置は上記レーザダイオード１の周辺温度が上昇するにつれて同一駆動電流において光出力パワーが低減する特性を補償するために、上記モニタリングＰＤ３の検出結果を比較するアナログ制御部４と、上記アナログ制御部４の出力に応じて実際レーザ駆動回路２のバイアス電流及び変調電流を制御するデジタル制御部５で成る。
【００２９】
上記アナログ制御部４は上記モニタリングＰＤ３の出力電流を電圧信号に変換する前置増幅器４１と、上記前置増幅器４１の出力信号の最大／最小レベルを検出し、最大／最小レベルに対応するＤＣ値を出力する最大／最小ホールド回路４２１、４３１と、各々上記最大／最小ホールド回路４２１、４３１から出力された光出力の最大／最小レベルを上下限基準値ＲＥＦ１、ＲＥＦ２と比較しその偏差を出力する第１、２演算増幅器４２２、４３２で成り、デジタル制御部５は所定プログラムにより駆動して上記第１演算増幅器４２２から出力された偏差値を解析してレーザ駆動回路２のバイアス電流を制御するバイアス電流デジタル制御部５１と、所定のプログラムにより駆動し上記第２演算増幅器４３２から出力された偏差値を解析してレーザ駆動回路２の変調電流を調整する変調電流デジタル制御部５２で成る。
【００３０】
上記前置増幅器４１の利得は抵抗値によって決定される。但し、一般の前置増幅器は入力信号の位相が１８０度反転するインバータ形態で設計されるが、本発明において上記前置増幅器４１は位相反転の無い同相前置増幅器を用いる。
【００３１】
そして、上記最大／最小ホールド回路４２１、４３１は上記前置増幅器４１の出力電圧の最大電圧と最小電圧に該当するＤＣ電圧を出力する。
【００３２】
上記最大／最小ホールド回路４２１、４３１から出力された光出力の最大／最小値は第１、２演算増幅器４２２、４３２において基準値ＲＥＦ１、ＲＥＦ２と比較され、その結果に応じてバイアス／変調電流デジタル制御部５１、５２が上記レーザダイオード１から発生された光信号の０と１に該当する出力パワーが各々上記基準値ＲＥＦ１、ＲＥＦ２を維持できるよう制御する。
【００３３】
これについて図２のグラフを参照により具体的に説明すれば、Ｐ１に該当するレーザダイオード１出力に対応するモニタリングＰＤ３の出力電流が前置増幅器４１及び最大ホールド回路４２１を通して最大電圧レベルで検出され、該当レベルに対応するＤＣ値に変換され第１演算増幅器４２２の一方の入力に提供される。上記第１演算増幅器４２２の他方の入力端にはデジタル「１」の臨界値に対応する基準電圧ＲＥＦ１が印加され、第１演算増幅器４２２は上記検出された最大レベルと基準電圧ＲＥＦ１との差を出力する。ここで、温度が上昇し上記最大レベルＰ１が低下すると、第１演算増幅器４２２から出力された偏差が大きくなり、これをバイアス変調デジタル制御部５１において認識してレーザダイオード１の出力レベルが増加される方向へ駆動回路２のバイアス電流を調整する。さらに、温度が降下し最大レベルＰ１が高まると、第１演算増幅器４２２の出力偏差が減少し、これをバイアス電流デジタル制御部５２において認識してレーザダイオード１の出力レベルが低下する方向へ駆動回路２のバイアス電流を調整する。
【００３４】
同じく、図２のＰ０に該当するレーザダイオード１の光出力に対応する上記モニタリングＰＤ３の出力電流は前置増幅器４１を通して電圧に変換された後、最小ホールド回路４３１により最小電圧レベルで検出され第２演算増幅器４３２に伝達される。上記第２演算増幅器４３２の他の一方には０レベルの光出力限界値に対応する基準電圧ＲＥＦ２が印加されるので、第２演算増幅器４３２は上記光パワー検出値の最小レベルと基準電圧ＲＥＦ２の差を増幅する。この際、レーザダイオード１の周辺温度が増加して光出力の最小レベルＰ０が基準電圧ＲＥＦ２以下に低下すると、上記第２演算増幅器４３２の出力電圧が増加し、これを変調電流デジタル制御部５２において認識し、駆動回路２の変調電流を増加させＰ０レベルを引上げる。逆に、温度が減少して光出力の最小レベルＰ０が高まると、上記最小ホールド回路４３１からより高いＤＣ値を出力するので、第２演算増幅器４３２の出力電圧が減少し、これを変調電流デジタル制御部５２において認識し、Ｐ０レベルが下がるよう駆動回路２を制御して変調電流を制御する。
【００３５】
上記バイアス電流／変調電流デジタル制御部５１、５２は各々第１、２演算増幅器４２２、４３２の出力を基準制御電圧に設定し、内蔵されたプログラムによりレーザ駆動回路２を制御する。
【００３６】
図３及び図４は上記バイアス電流／変調電流デジタル制御部５１、５２の一実施形態を示す。
【００３７】
上記図３及び図４によると、バイアス電流／変調電流デジタル制御部５１、５２はアナログ／デジタル変換器５１１、５２１と、デジタルプロセッサ５１２、５２２と、デジタル出力部５１３、５２３で成る。
【００３８】
即ち、第１、２演算増幅器４２２、４２３のアナログ信号出力ＣＯＭ１、ＣＯＭ２をデジタル信号に変換しデジタルプロセッサ５１２、５２２に印加すると、このデジタル信号を信号が安定した特定時点においてサンプリングした後、内蔵されたプログラムに応じて解析し一定のプロセッシングを経た後、デジタル出力部５１３、５２３においてレーザ駆動回路２の制御のためのｍビットデジタル信号に変えて出力する。  上記デジタル出力部５１３、５２３から出力されるｍビットのデジタル信号はレーザ駆動回路２に具備される同じ大きさまたは倍数関係の大きさを有するｍ個の電流源（ｃｕｒｒｅｎｔ  ｓｏｕｒｃｅ）を選択的にオン／オフさせてレーザダイオード１に供給されるバイアス／変調電流を調整する。
【００３９】
上記処理において、第１、２演算増幅器４２２、４３２から出力された偏差によるレーザ駆動回路２の電流源制御関係はデジタルプロセッサ５１２、５２２のプログラムに依存するようになり、したがって上記デジタルプロセッサ５１２、５２２のプログラムを変更することにより、温度補償程度を必要に応じて修正することができる。
【００４０】
さらに、本実施形態による光送信装置のバイアス電流／変調電流デジタル制御部５１、５２は１個で構成された駆動回路２のバイアス電流源を線形（ｌｉｎｅａｒ）的に制御することもできる。
【００４１】
図５及び図６は駆動回路２のバイアス電流源を線形的に制御する場合に適用されるバイアス電流／変調電流デジタル制御部５１、５２の他の実施形態を示したブロック図である。
【００４２】
上記図５及び図６によると、バイアス電流／変調電流デジタル制御部５１、５２は、上記アナログ／デジタル変換器５１１、５２１と、デジタルプロセッサ５１２、５２２と、デジタル／アナログ変換器５１３’、５２３’で成る。
【００４３】
上記構成によるバイアス電流／変調電流デジタル制御部５１、５２は先述したものと同様に、第１、２演算増幅器４２２、４３２の出力を基準電圧に設定しデジタルプロセッサ５１２、５２２に入力して設定されたプログラムによりレーザ駆動回路２を制御するが、先ず第１、２演算増幅器４２２、４３２のアナログ信号出力をアナログ／デジタル変換器５１１、５２１を通してデジタル信号に変え、デジタルプロセッサ５１２、５２２に入力し、上記デジタルプロセッサ５１２、５２２は入力されたデジタル信号を信号が安定した特定時点においてサンプリングした後、該当サンプリング値を解析しプロセッシングを経てからレーザ駆動回路２の制御のためのｎビットデジタル信号を形成する。上記デジタル制御信号はデジタル／アナログ変換器５１３’、５２３’においてアナログ信号に変換され、レーザ駆動回路２に印加され、これはレーザ駆動回路２の電流源を線形的に制御するようになる。
【００４４】
先述した説明と同様、上記実施形態においても、デジタルプロセッサ５１２、５２２のプログラムを変更したり修正することにより、外部において温度補償程度を調整したり、動作エラーを補正することができる。
【００４５】
上記実施形態に示したデジタルプロセッサ５１２、５２２は販売中の商用チップで構成したり、ライブラリーによりアナログ回路のように一つのチップに内蔵する方式で具現することもできる。
【図面の簡単な説明】
【００４６】
【図１】本発明を適用した光送信装置を示すブロック構成図である。
【図２】温度変化によるレーザダイオードの特性変化曲線を示した線図である。
【図３】本発明を適用した光送信装置において、バイアス電流デジタル制御部の詳細構成を示した図である。
【図４】本発明を適用した光送信装置において、変調電流デジタル制御部の詳細構成を示した図である。
【図５】本発明を適用した光送信装置において、バイアス電流デジタル制御部の他の構成を示したブロック図である。
【図６】本発明を適用した光送信装置において、変調電流デジタル制御部の他の構成を示したブロック図である。
【図７】従来の光送信装置を示した回路図である。
【図８】従来の改善された光送信装置を示した構成図である。
【符号の説明】
【００４７】
１  レーザダイオードＬＤ
２  レーザ駆動回路
３  フォトダイオードＰＤ
４  アナログ制御部
５  デジタル制御部
４１  前置増幅器（ＴＩＡ：  Ｔｒａｎｓ−Ｉｍｐｅｄａｎｃｅ  Ａｍｐｌｉｆｉｅｒ）
４２  バイアス電流アナログ制御部
４３  変調電流アナログ制御部
５１  バイアス電流デジタル制御部
５２  変調電流デジタル制御部
【図１】
2006174403.tif 000003
【図２】
2006174403.tif 000004
【図３】
2006174403.tif 000005
【図４】
2006174403.tif 000006
【図５】
2006174403.tif 000007
【図６】
2006174403.tif 000008
【図７】
2006174403.tif 000009
【図８】
2006174403.tif 000010